(57)【要約】【課題】カバーに過負荷がかかった際に、カバーが外装部から脱落することなく、カバーの破損を防止することが可能な記録装置を提供する。【解決手段】外装部２２と、外装部２２の側面に設けられ、外装部２２から外方に飛び出す状態で記憶媒体１６を挿入可能な接続口１５を有するインターフェース部１４と、外装部２２に回動可能に設けられ、接続口１５を覆うカバー１３と、を具備する記録装置１０であって、カバー１３は、カバー１３の回動支点となる第１のヒンジ部２４と、カバー１３の開方向への回動角が所定角度以上のときに第１のヒンジ部２４に代わってカバー１３の回動支点となる第２のヒンジ部３１と、を具備することを特徴とする。【選択図】図５
2014017298.tif 000002
【特許請求の範囲】
【請求項１】
本体の外側を覆う外装部と、
前記外装部に回動可能に設けられ、前記外装部から外方に飛び出す状態で差込対象物を差込可能な接続口を覆うカバーと、
を具備する開閉装置であって、
前記カバーは、
前記カバーの回動支点となる第１のヒンジ部と、
前記カバーの開方向への回動角が所定回動角度以上のときに前記第１のヒンジ部に代わって前記カバーの回動支点となる第２のヒンジ部と、
を具備する、
ことを特徴とする開閉装置。
【請求項２】
請求項１記載の開閉装置であって、
前記カバーが前記外装部に対して開状態となったときに、前記第２のヒンジ部と、前記カバーの側面部とが前記外装部に対して接触することで、前記カバーの開方向への移動が規制される、
ことを特徴とする開閉装置。
【請求項３】
請求項２記載の開閉装置であって、
前記外装部には突出部が設けられていて、この突出部は前記カバーの開状態となったときに前記第２のヒンジ部に対して離れた位置において前記カバーに接触する、
ことを特徴とする開閉装置。
【請求項４】
請求項２または３記載の開閉装置であって、
前記カバーが前記外装部に対して開状態となり、かつ前記カバーに過負荷がかかったときに前記記録装置の本体と該本体が設置される設置面との摩擦抵抗を超えて前記本体を移動させる程度の剛性を、前記カバーが備えている、
ことを特徴とする開閉装置。
【請求項５】
請求項１から４のいずれか１項記載の開閉装置であって、
前記第１のヒンジ部は、Ｃ型形状または円弧形状を呈している、
ことを特徴とする開閉装置。
【請求項６】
請求項１から５のいずれか１項記載の開閉装置であって、
前記第１のヒンジ部は外側部と内側部を備えると共に、前記外側部は前記カバーの閉状態において外側に位置し、前記内側部は前記カバーの閉状態において内側に位置すると共に、
前記外側部の肉厚は、前記内側部の肉厚よりも小さく形成されている、
ことを特徴とする開閉装置。
【請求項７】
請求項１から６のいずれか１項記載の開閉装置を備える記録装置であって、
前記外装部に設けられ、前記接続口を有するインターフェース部を備えることを特徴とする記録装置。
【発明の詳細な説明】
【技術分野】
【０００１】
本発明は、開閉装置および記録装置に関する。
【背景技術】
【０００２】
近年、電子機器において、さまざまなカバーが設けられている。たとえば、記録装置においては、メモリーカードスロットに挿入されたメモリーカードに格納されている画像データ等を読み取って、プリント動作を実行可能とするものが普及している。ここで、記録装置の本体において、メモリーカードの挿入に対応するための内部スペースを確保することは、記録装置の本体の大型化に繋がってしまう。このため、メモリーカード全体を格納するだけの内部スペースを確保することなく、挿入されたメモリーカードの一部を本体から飛び出させておくものも存在する。
【０００３】
このようにメモリーカードを本体から飛び出させる構成にあっては、記録装置がデザイン性において劣ったものになるとともに、メモリーカードスロットに外部からの塵埃が混入してしまうという問題が生じる。そこで、記録装置のデザイン性を確保し、塵埃の混入を防止するために、本体にメモリーカードの外側を覆うカバーを設けることが考えられる。本体にカバーを設ける技術としては、特許文献１に記載されているものがある。
【先行技術文献】
【特許文献】
【０００４】
【特許文献１】特開２００１−１８９５６６号公報
【発明の概要】
【発明が解決しようとする課題】
【０００５】
特許文献１に開示の構成によれば、カバーを所定角度以上に開き、該カバーに過負荷がかかると、カバーに設けられる外装部との嵌合部が弾性変形し、カバーが外装部から外れる。このため、過負荷がかかった場合のカバーの破損は防止できるが、カバーが外装部から脱落してしまい、記録装置の使用上不便なものとなってしまう。
【０００６】
本発明は上記の事情にもとづきなされたもので、その目的とするところは、カバーに過負荷がかかった際に、カバーが外装部から脱落するのを防止することが可能な開閉装置および記録装置を提供しよう、とするものである。
【課題を解決するための手段】
【０００７】
上記課題を解決するために、本発明の開閉装置は、本体の外側を覆う外装部と、外装部に回動可能に設けられ、外装部から外方に飛び出す状態で差込対象物を差込可能な接続口を覆うカバーと、を具備する開閉装置であって、カバーは、カバーの回動支点となる第１のヒンジ部と、カバーの開方向への回動角が所定回動角度以上のときに第１のヒンジ部に代わってカバーの回動支点となる第２のヒンジ部と、を具備する、ものである。
【０００８】
このように構成する場合には、カバーの開方向への回動角が所定角度以上となったときに、カバーの回動支点が第１のヒンジ部から第２のヒンジ部に移行する。したがって、第１のヒンジ部に集中していた負荷を途中から第２のヒンジ部に分散させることができる。また、カバーの回動支点が第１のヒンジ部から外れるような過負荷が作用した場合でも、第２のヒンジ部がカバーの回動支点となることにより、カバーが外装部から脱落するのを防止しつつカバーの回動を継続させることができる。
【０００９】
また、本発明の他の側面は、上述の発明において、カバーが外装部に対して開状態となったときに、第２のヒンジ部と、カバーの側面部とが外装部に対して接触することで、カバーの開方向への移動が規制される、ことが好ましい。
【００１０】
このように構成する場合には、第２のヒンジ部と、カバーの側面部の２点を外装部に接触させるといった単純な構成で、カバーの開方向への移動を規制することが可能となる。また、カバーの側面部が外装部に対して接触して開方向への移動が規制されることにより、カバーが外装部から脱落するのを一層確実に防止可能となる。
【００１１】
さらに、本発明の他の側面は、上述の発明において、外装部には突出部が設けられていて、この突出部はカバーの開状態となったときに第２のヒンジ部に対して離れた位置においてカバーに接触する、ことが好ましい。
【００１２】
このように構成する場合には、カバーが開状態となると、突出部がカバーに接触する。そのため、カバーに過負荷がかかったときに、第２のヒンジ部を支点としてカバーに生じる回転モーメントは、突出部によって受け止められる。このため、カバーに過負荷がかかったときの該カバーの開方向への移動を、突出部を利用して規制することができる。また、突出部がカバーに接触する場合、第２のヒンジ部もカバーに接触するため、それらの接触によってカバーのガタ付きを解消することが可能となる。
【００１３】
また、本発明の他の側面は、上述の発明において、カバーが外装部に対して開状態となり、かつカバーに過負荷がかかったときに記録装置の本体と該本体が設置される設置面との摩擦抵抗を超えて前記本体を移動させる程度の剛性を、カバーが備えている、ことが好ましい。
【００１４】
このように構成する場合には、カバーに過負荷がかかった場合でも、本体側からカバーに加わる反力を押し返して本体を旋回させることが可能となる。したがって、カバーに過負荷がかかっても、カバーを破損させることなく、当該反力を本体の旋回によって逃がすことが可能となる。
【００１５】
さらに、本発明の他の側面は、上述の発明において、第１のヒンジ部は、Ｃ型形状または円弧形状を呈している、ことが好ましい。
【００１６】
このように構成する場合には、回動支点となる第１のヒンジ部の構成を単純なものとすることができる。また、第１のヒンジ部が回動軸から外れかけても、カバーを閉めるときに、再び回動軸が第１のヒンジ部に嵌まり易くなる。
【００１７】
さらに、本発明の他の側面は、上述の発明において、第１のヒンジ部は外側部と内側部を備えると共に、外側部は前記カバーの閉状態において外側に位置し、内側部はカバーの閉状態において内側に位置すると共に、外側部の肉厚は、内側部の肉厚よりも小さく形成されている、ことが好ましい。
【００１８】
このように構成する場合には、カバーに一定以上の負荷がかかった際に、内側部を弾性変形させて、回動軸に嵌まり込んでいる第１のヒンジ部を該回動軸から外れやすくすることが可能となる。その結果、カバーの回動支点を第１のヒンジ部から第２のヒンジ部によりスムーズに移行させることができる。
【００１９】
また、本発明の他の側面は、上述の開閉装置の各発明を備える記録装置の発明において、外装部に設けられ、接続口を有するインターフェース部を備える、ことが好ましい。
【００２０】
このように構成する場合には、カバーの開方向への回動角が所定角度以上となったときに、カバーの回動支点が第１のヒンジ部から第２のヒンジ部に移行する。したがって、第１のヒンジ部に集中していた負荷を途中から第２のヒンジ部に分散させることができる。また、カバーの回動支点が第１のヒンジ部から外れるような過負荷が作用した場合でも、第２のヒンジ部がカバーの回動支点となることにより、カバーが外装部から脱落するのを防止しつつカバーの回動を継続させることができる。
【図面の簡単な説明】
【００２１】
【図１】記録装置の全体を示す斜視図であり、カバーが閉じた状態を示す図である。
【図２】記録装置の全体を示す斜視図であり、カバーが開いた状態を示す図である。
【図３】図２中の一点鎖線Ａで囲んだ部分の拡大図である。
【図４】カバーが開状態のときのカバーと外装部の一部を示す斜視図である。
【図５】カバーが閉状態のときのカバーと外装部の一部を裏側から見た斜視図である。
【図６】カバーが閉状態のときの各ヒンジ部の位置関係を示す図である。
【図７】カバーが９０度開いたときの各ヒンジ部の位置関係を示す図である。
【図８】カバーが１００度開いたときの各ヒンジ部の位置関係を示す図である。
【図９】カバーが１１０度開いたときの各ヒンジ部の位置関係を示す図である。
【発明を実施するための形態】
【００２２】
以下、本発明の一実施の形態に係る開閉装置を備える記録装置１０について、図面を参照しながら説明する。なお、以下の説明において、図１〜図９に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「上」および矢示Ｚ２方向を「下」とそれぞれ規定する。ここで、開閉装置は、後述するカバー１３と、外装部２２とから構成されている。しかしながら、カバー１３と共に、本体１１の一部、インターフェース部１４の一部、外装部２２の一部、あるいはそれ以外の構成が開閉装置を構成するものとしても良い。
【００２３】
＜記憶装置の概略構成について＞
図１および図２に示す記録装置１０は、記録対象物に記録を行うものであり、図示を省略する設置面に設置される。記録装置１０の本体１１の前方には各種操作を行うための操作部１２が設けられている。なお、本明細書における「記録」には、印刷が含まれるものとする。
【００２４】
図１および図２に示すように、記録装置１０は、その左方に開閉可能なカバー１３を有している。このカバー１３は、インターフェース部１４に形成される接続口１５を覆う形態で設けられている。図２および図３に示すように、接続口１５には、記憶媒体（差込対象物）であるメモリーカード１６が、インターフェース部１４の後方パネル部２１（後述）から外側（前方）に飛び出す状態で挿入される。ここで、接続口１５に挿入されるメモリーカード１６をインターフェース部１４から外側に飛び出させるという構成を採用するのは、メモリーカード１６のための空間を、本体１１のインターフェース部１４よりも内部に大きく確保する必要がなくなり、記録装置１０の小型化が可能となるためである。このため、接続口１５から前方に飛び出た状態でメモリーカード１６はカバー１３によって覆われることになる。本実施の形態では、図１および図２に示すように、カバー１３は左側方からインターフェース部１４の前側全体を覆うため、本体１１にカバー１３の稜線が複数現れることがなくなり、記録装置１０の意匠性の向上を図ることができる。
【００２５】
図２、図３および図４に示すように、カバー１３にはフック体１７が設けられていて、このフック体１７はカバー１３を閉じたときに本体１１の内側に向かって突出する。一方、インターフェース部１４には前方に向かって開口する差込口１８が設けられている。カバー１３を閉じると、フック体１７が差込口１８に嵌まり込んで、カバー１３の閉状態が維持される。また、インターフェース部１４は、差込口１８が設けられる前方部２０と、該前方部２０よりも後方に奥まった位置に形成される後方パネル部２１とを有する。後方パネル部２１には、接続口１５が設けられている。このような構成により、接続口１５に挿入されたメモリーカード１６の前方に飛び出た部分が、前方部２０よりも前方に飛び出すことがなくなる。このため、カバー１３とメモリーカード１６が干渉することなく、カバー１３を閉じることが可能となる。
【００２６】
＜外装部に対するカバーの保持構造について＞
図１〜図３および図５等に示すように、本体１１の外側は外装部２２によって覆われている。なお、外装部２２には、上述したインターフェース部１４も含まれるものとする。図４および図５に示すように、カバー１３が閉状態のときには、カバー１３の後端部に設けられる第１のヒンジ部２４がカバー１３の回動支点となっている。具体的には、外装部２２に設けられる回動軸２３に、該第１のヒンジ部２４が嵌り込むことにより、カバー１３が外装部２２に対して回動可能に支持されている。図５に示すように、回動軸２３は、外装部２２の後端部近傍において上下の２箇所の位置に設けられている。また、外装部２２の左側方には側方部２５が設けられていて、この側方部２５からは左側方に延出する平板状の載置部２６が設けられている。そして、載置部２６には、その上方に向かって円柱状に形成された回動軸２３が突出している。第１のヒンジ部２４は、回動軸２３と対応するように、カバー１３の上下の２箇所の端部に設けられている。該第１のヒンジ部２４は、上から見て略Ｃ型の形状を呈しており、その内側に回動軸２３が嵌まり込んでいる。
【００２７】
なお、図４に示すように、カバー１３には、係合部５０が設けられている。係合部５０は、メモリーカード１６の先端部１６ａが衝突して、この先端部１６ａを受け止めるための部分である。この係合部５０には、凹部５１と凸部５２とが設けられている。凹部５１はメモリーカード１６の先端部１６ａが入り込む部分であり、凸部５２よりもヒンジ部２４側に設けられている。また、凹部５１は、メモリーカード１６の入り込みに対応した長さおよび幅を有して形成されている。また、凸部５２は、裏面１３ａよりも突出している部分である。ただし、凸部５２の裏面１３ａに対する突出高さは、接続口１５にメモリーカード１６が位置していない状態でカバー１３を閉じた場合に、良好にカバー１３が閉じる程度のものとなっている。
【００２８】
また、図５等に示すように、外装部２２には、側方部２５と傾斜する状態で対向する外側方部２８が設けられている。側方部２５と外側方部２８とは、図６（Ｂ）等に示すように、略Ｖ字状をなす状態で対向している。この略Ｖ字状の部分には平板状の形態を有する３つのリブ部２７が設けられている。リブ部２７は、弾性変形をしないように強い剛性を有するように形成されている。図５に示すように、リブ部２７は、上下方向に３つ並んで設けられている。リブ部２７の開口側には前方に向かって略弧状に窪む凹状部３０が形成されている。一方、カバー１３の左側方かつ後端側には、左方向に向かって略弧状に突出する第２のヒンジ部３１が設けられている。第２のヒンジ部３１は、２つの第１のヒンジ部２４，２４の間に存在し、上下方向に沿って設けられている。
【００２９】
図５および図６に示すように、カバー１３が閉状態のときには、第２のヒンジ部３１は、外装部２２とは接触していない。また、外装部２２において、第１のヒンジ部２４および第２のヒンジ部３１よりも後方側で対向する箇所には、第１のヒンジ部２４および第２のヒンジ部３１の側に向かって突出する突出部３２が設けられている。この突出部３２の存在により、カバー１３を開いたときにそのカバー１３が外装部２２と接触しやすくなり、カバー１３の開方向への回動を容易に規制することができることになる。また、突出部３２を設けることで、外装部２２と各ヒンジ部２４，３１との間の隙間を小さくすることができ、外側から外装部２２の内部が目視され難くすることができる。さらに、インターフェース部１４の底部には、外装部２２からカバー１３の落下を防止するための受け部３３が設けられている。受け部３３は、カバー１３の下側に位置している。
【００３０】
図６は、カバー１３が閉状態のときの各ヒンジ部２４，３１の外装部２２との位置関係を示す図であり、図６（Ａ）が第１のヒンジ部２４の位置関係を示す図であり、図６（Ｂ）は第２のヒンジ部３１の位置関係を示す図である。図６（Ａ）に示すように、カバー１３が閉状態のときには、第１のヒンジ部２４は、回動軸２３の外側に位置し、その回動軸２３に対して回動可能な状態で嵌まり込んでいる。すなわち、第１のヒンジ部２４が外装部２２に対するカバー１３の回動支点となっている。
【００３１】
上述したように、第１のヒンジ部２４は、上から見て略Ｃ型の形状を呈している。このため、第１のヒンジ部２４は、カバー１３に対して外側に設けられる略弧状の外側部３４と、カバー１３に対して内側に設けられる略弧状の内側部３５とを有する。そして、外側部３４の略弧状の先端と内側部３５の略弧状の先端との間には隙間が存在している。したがって、回動軸２３を外側部３４と内側部３５で外側から挟み込む形態で、第１のヒンジ部２４は回動軸２３に対して回動可能に支持される。図６（Ａ）に示すように、外側部３４よりも内側部３５の肉厚の方が小さく形成されている。このため、外側部３４は内側部３５よりも大きな剛性を有し、外側部３４よりも内側部３５の方が撓み易くなっている。それにより、カバー１３に外力が加わった際には、外側部３４よりも内側部３５の方が弾性変形しやすい構成となっている。また、外装部２２のうち外側方部２８の先端と非接触で対向する部分（奥側部２９とする）には逃げ部３８Ａが設けられている。逃げ部３８Ａは、奥側部２９において回動軸２３と対向する位置に存在し、上方に向かって略弧状に切り欠かれている。この逃げ部３８Ａにより、第１のヒンジ部２４は外装部２２と干渉することなく自由に回動することが可能となる。
【００３２】
一方、図６（Ｂ）に示すように、カバー１３が閉状態のときには、第２のヒンジ部３１は、外装部２２と接触することなく、外装部２２に対して開放された状態で位置している。具体的には、第２のヒンジ部３１は、リブ部２７と外装部２２の奥側部２９とによって形成される開口空間部３６の開口部３７に差し掛かっている。この状態では、カバー１３は、第１のヒンジ部２４によって保持されている。この開口空間部３６には上方に向かって略弧状に切り欠かれた逃げ部３８Ｂが面している。逃げ部３８Ｂは、外装部２２の奥側部２９においてリブ部２７と対向する位置に形成されている。
【００３３】
図７は、カバー１３が閉状態から開方向に９０度移動したときの各ヒンジ部２４，３１の外装部２２との位置関係を示す図であり、図７（Ａ）は第１のヒンジ部２４の位置関係を示す図であり、図７（Ｂ）は第２のヒンジ部３１の位置関係を示す図である。カバー１３を閉状態から開方向に向かって９０度回動させると、第１のヒンジ部２４は、図７（Ａ）に示すように、回動軸２３の中心を支点として、開方向に向かって９０度回動する。一方、第２のヒンジ部３１は、図７（Ｂ）に示すように、開口空間部３６の内部に入り込んで、リブ部２７の凹状部３０と接触し始める。回動角が０度から９０度の間においては、カバー１３は第１のヒンジ部２４を回動支点として回動する。また、回動角が９０度の状態では、カバー１３は、第１のヒンジ部２４によって保持されるとともに、第２のヒンジ部３１によっても保持され始める。このときのカバー１３は、第１のヒンジ部２４によって外装部２２の外側に外れるのが防止される。しかしながら、第２のヒンジ部３１によるカバー１３の保持され始めることにより、第２のヒンジ部３１によってもカバー１３が外装部２２の外側に外れるのが防止され始める。
【００３４】
図８は、カバー１３が閉状態から開方向に１００度移動したときの各ヒンジ部２４，３１の外装部２２との位置関係を示す図であり、図８（Ａ）は第１のヒンジ部２４の位置関係を示す図であり、図８（Ｂ）は第２のヒンジ部３１の位置関係を示す図である。カバー１３の９０度から１００度までの回動は、図８（Ａ）に示すように、第１のヒンジ部２４を回動支点として行われる。
【００３５】
一方、カバー１３が９０度の回動角を超えて開いていくと、第２のヒンジ部３１は、図８（Ｂ）に示すように、開口空間部３６の内部にさらに入り込んでいく。そして、回動角が大きくなるにつれて、第２のヒンジ部３１と凹状部３０との接触面積も大きくなっていき、回動角が１００度となったときに、第２のヒンジ部３１は、凹状部３０と最大の面積で接触する。このとき、凹状部３０の対向部位であって第２のヒンジ部３１の形状に倣う部分は、その大部分が第２のヒンジ部３１と接触する。また、回動角が９０度を超えると、第２のヒンジ部３１は凹状部３０と接触するため、第２のヒンジ部３１には凹状部３０との間で摩擦抵抗が働く。このため、回動角が９０度を超えると、カバー１３の開動作に対してブレーキをかける力が作用する。したがって、同じ力でカバー１３を開くとすると、９０度から１００度まで回動する際のカバー１３の速度は、カバー１３を閉状態から９０度まで開く際の速度よりも遅くなる。また、９０度から１００度までの開動作では、カバー１３は第１のヒンジ部２４を回動支点として回動する。また、上述したように、回動角が１００度になると、第２のヒンジ部３１は凹状部３０と最大の面積で接触する。このため、回動角が１００度の状態では、カバー１３は、第１のヒンジ部２４および第２のヒンジ部３１の双方によって、外装部２２の外側に外れるのが防止される。
【００３６】
図９は、カバー１３が開方向に１１０度移動したときの各ヒンジ部２４，３１の外装部２２との位置関係を示す図であり、図９（Ａ）は第１のヒンジ部２４の位置関係を示す図であり、図９（Ｂ）は第２のヒンジ部３１の位置関係を示す図である。カバー１３を１００度の回動角を超えて開いていくと、図９（Ａ）に示すように、第１のヒンジ部２４が回動軸２３から外れかける。これは、カバー１３を開く際の外力により内側部３５が径方向外方に向かって大きく弾性変形することにより生じる。すなわち、図９（Ａ）に示すように、カバー１３を１００度の回動角を超えてさらに開方向にカバー１３を移動させようとすると、カバー１３において開方向に加えられる外力Ｄが、側面部４０（外側の側面部）と突出部３２の接触部分を支点として、第２のヒンジ部３１に伝達される。そして、伝達された力が第２のヒンジ部３１の内側部３５において径方向外方に向かって力Ｅとして作用し、該内側部３５が弾性変形する。ここで、回動角が１１０度のときにおける、第１のヒンジ部２４の回動軸２３に対する外れ量は、１００度を超えた直後の回動角のものよりも大きくなる。その結果、回動角が１００度を超えると、第１のヒンジ部２４はカバー１３の回動支点として機能しなくなっていく。
【００３７】
なお、外側部３４は内側部３５よりも肉厚が厚いので、外側部３４の弾性変形は内側部３５の弾性変形よりも小さい。また、カバー１３を１１０度まで回動させると、図９（Ａ）に示すように、第１のヒンジ部２４に連接しているカバー１３の側面部４０が外装部２２の突出部３２と当接して、カバー１３の開方向への回動が規制される。
【００３８】
一方、第２のヒンジ部３１は凹状部３０と全面で接触しているため、カバー１３を１００度の回動角を超えて開く際には、カバー１３は第２のヒンジ部３１を回動支点として開方向に回動しようとする。すなわち、回動角が１００度を超えると、回動支点が第１のヒンジ部２４から第２のヒンジ部３１に移行していく。そして、図９（Ｂ）に示すように、回動角が１１０度になると、カバー１３の側面部４０が外装部２２の突出部３２と当接する。この状態では、第２のヒンジ部３１が凹状部３０と全面で接触するとともに、側面部４０が突出部３２と当接している状態となる。すなわち、カバー１３は、第２のヒンジ部３１と側面部４０の２点において外装部２２に接触している。このとき、カバー１３に加えられる外力Ｄは、第２のヒンジ部３１を支点とし、側面部４０のうち突出部３２との当接部位を作用点として、外装部２２に力Ｇとなって伝達される。このとき、カバー１３は、側面部４０において突出部３２と当接するため、該カバー１３の開方向への移動が規制される。
【００３９】
以上のような力の作用により、カバー１３には、第２のヒンジ部３１を支点として突出部３２を後方に押すような回転モーメントが作用することになる。そして、その回転モーメントが外装部２２の突出部３２において受け止められることにより、カバー１３の開方向への移動が規制される。その結果、カバー１３に過負荷Ｄがかかったときの該カバー１３の開方向への移動は、外装部２２を利用して規制されることになる。しかしながら、外力Ｄ（過負荷Ｄ）が十分に大きい場合には、その外力Ｄの作用によって、記録装置１０は回転させられる。
【００４０】
この記録装置１０の回転について詳述する。まず、カバー１３にゆっくりと外力Ｄを及ぼし、その外力Ｄを徐々に増加させる場合を考える。そのとき、外力Ｄが記録装置１０の静摩擦による力（反力）を超えると、記録装置１０は、外力Ｄの作用によって動き始める。この場合において、記録装置１０が仮に図９に示される部分程度の大きさしかなければ、第２のヒンジ部３１が前側（Ｘ１側）、突出部３２と側面部４０との接触部位が後方側（Ｘ２側）に向かうように回転するが、記録装置１０は図９に示される部分以外にも大きな部分を有している。そのため、記録装置１０は第２のヒンジ部３１が前側（Ｘ１側）に向かうような回転は行わず、記録装置１０の左方を右方よりも後方側に押し込むように記録装置１０を旋回させる状態で移動させる。
【００４１】
また、図９に示すように、カバー１３の背面側には外装部２２からの反力Ｈが加えられる。したがって、カバー１３に外力Ｄがかかると、カバー１３には、開方向に向かう外力Ｄとともに、背面側から押し返される反力Ｈが作用する。ここで、カバー１３の剛性が小さいと、該カバー１３に過負荷Ｄがかかったときに、外装部２２からの反力Ｈに耐え切れず、カバー１３が破損してしまうおそれがある。このため、カバー１３には、記録装置１０の本体１１と該本体１１が設置される不図示の設置面との摩擦抵抗を超えて本体１１を移動させるだけの剛性を持たせるようにしてある。このため、カバー１３に過負荷Ｄがかかった場合でも、本体１１側からカバー１３に加わる反力Ｈを押し返して本体１１を旋回させることが可能となる。
【００４２】
したがって、カバー１３に過負荷Ｄがかかっても、カバー１３を破損させることなく、当該反力Ｈを本体１１の旋回による移動によって逃がすことが可能となる。この際、外装部２２の突出部３２が力点となって本体１１に力が伝達され、本体１１が旋回する。なお、リブ部２７を外装部２２のより右方側に設け、凹状部３０と突出部３２との距離を大きくすると、第２のヒンジ部３１を支点としてカバー１３に作用する回転モーメントがより大きなものとなる。これにより、図９に示す場合よりも小さな外力で本体１１を旋回させることが可能となり、本体１１の旋回を容易に行うことが可能となる。
【００４３】
ここで、記録装置１０が旋回させられるときでも、回動軸２３は第１のヒンジ部２４から完全には外れない。そのため、カバー１３に外力Ｄが作用しなくなると、外側部３４と内側部３５の弾性復帰が作用し、この弾性復帰の力によって、あるいは外力の作用によって回動軸２３が第１のヒンジ部２４に嵌まり込む。
【００４４】
また、１１０度開いた状態からカバー１３を閉める際には、第１のヒンジ部２４および第２のヒンジ部３１は上述した開動作のときと逆の動作を行う。１１０度開いた状態から、カバー１３を閉める場合において第１のヒンジ部２４が回動軸２３から外れかけていると、カバー１３の回動角が１００度になるまでの間に、外側部３４と内側部３５の弾性復帰により回動軸２３が第１のヒンジ部２４に嵌まり込む（図８（Ａ）参照）。それにより、以後の閉方向への動作においては第１のヒンジ部２４はカバー１３の回動支点となる。同時に、カバー１３の側面部４０が突出部３２から離れる（図８（Ａ）参照）。
【００４５】
回動角が１００度の状態から、さらに、カバー１３を閉じていくと、回動角が９０度より小さくなった時点で第２のヒンジ部３１がリブ部２７から離れる（図７（Ｂ）参照）。このため、第２のヒンジ部３１は、カバー１３の回動支点とはならなくなる。一方、第１のヒンジ部２４はカバー１３の回動支点となって回動軸２３の周りを回動する（図７（Ａ）参照）。この時点で、カバー１３の回動支点は第２のヒンジ部３１から第１のヒンジ部２４に完全に移行する。このため、回動角が９０度以下での閉動作は、第１のヒンジ部２４を回動支点として行われる。したがって、回動角が９０度の状態から、さらに、カバー１３を閉じていくと、該カバー１３は第１のヒンジ部２４を回動支点として閉状態まで回動する（図６（Ａ）参照）。一方、第２のヒンジ部３１は閉動作に従って開口空間部３６から離脱していき、閉状態のときには開口空間部３６の開口部３７近傍まで移動する（図６（Ｂ）参照）。
【００４６】
＜本実施の形態における効果＞
以上のような構成の記録装置１０によると、カバー１３の開方向への回動角が１００度以上となったときに、回動支点が第１のヒンジ部２４から第２のヒンジ部３１に移行する。このため、カバー１３の回動支点が第１のヒンジ部２４から外れるような過負荷が作用した場合でも、第２のヒンジ部３１がカバー１３の回動支点となることにより、カバー１３が外装部２２から脱落するのを防止しつつカバー１３の回動を継続させることができる。
【００４７】
また、カバー１３が図９（Ｂ）に示すような開状態となったときには、第２のヒンジ部３１はリブ部２７に接触するとともに、カバー１３の側面部４０は突出部３２に接触する。このように、第２のヒンジ部３１および側面部４０の２点を外装部２２に対して接触させるといった単純な構成で、カバー１３の開方向への移動を規制することができる。また、カバー１３の側面部４０が外装部２２に対して接触して開方向への移動が規制されることにより、カバー１３が外装部２２から脱落するのを一層確実に防止可能となる。
【００４８】
また、カバー１３が開状態となると、突出部３２がカバー１３に接触する。そのため、カバー１３に過負荷がかかったときに、第２のヒンジ部３１を支点としてカバー１３に生じる回転モーメントは、突出部３２によって受け止められる。このため、カバー１３に過負荷がかかったときの該カバー１３の開方向への移動を、突出部３２を利用して規制することができる。また、突出部３２がカバー１３に接触する場合、第２のヒンジ部３１もカバー１３に接触するため、それらの接触によってカバー１３のガタ付きを解消することが可能となる。
【００４９】
また、カバー１３が外装部２２に対して開状態となり、かつカバー１３に過負荷Ｄがかかったときに、記録装置１０の本体１１と該本体１１が設置される設置面との静摩擦力を超えて本体１１を移動させる程度の剛性をカバー１３は備えている。このため、カバー１３に過負荷がかかった場合でも、本体１１側からカバー１３に加わる反力Ｈを押し返して本体１１を旋回させることが可能となる。したがって、カバー１３に過負荷がかかっても、カバー１３を破損させることなく、当該反力Ｈを本体１１の旋回によって逃がすことが可能となる。
【００５０】
また、第１のヒンジ部２４は、Ｃ型形状を呈するように形成されている。このため、回動支点となる第１のヒンジ部２４の構成を単純なものにすることができる。また、第１のヒンジ部２４が回動軸２３から外れかけても、カバー１３が閉方向に戻ることで、再び回動軸２３が第１のヒンジ部２４に嵌まり込ませることが可能となる。
【００５１】
また、第１のヒンジ部２４の内側部３５の肉厚を外側部３４の肉厚よりも小さく形成している。このため、カバー１３に一定以上の負荷がかかった際に、内側部３５は容易に弾性変形し、回動軸２３に嵌まり込んでいる第１のヒンジ部２４が回動軸２３から外れやすくなる。その結果、カバー１３の回動支点を第１のヒンジ部２４から第２のヒンジ部３１によりスムーズに移行させることが可能となる。
【００５２】
＜変形例＞
以上、本発明の一実施の形態について述べたが、本発明は、種々変形可能である。以下、それについて述べる。
【００５３】
上述の実施の形態では、第１のヒンジ部２４はＣ型形状に形成されている。しかしながら、第１のヒンジ部２４を略円弧状や多角形状等それ以外の形状で形成するようにしても良い。開方向に一定の負荷がかかった場合に、第１のヒンジ部２４が回動軸２３から外れ、カバー１３を閉じるときに、回動軸２３が第１のヒンジ部２４に再び嵌まり込む形態であれば、他の形状としても良い。
【００５４】
また、上述の実施の形態では、第１のヒンジ部２４は上下に２つ設けられているが、第１のヒンジ部２４の数は２つに限定されるものではなく、１つのみ、あるいは３つ以上設けるようにしても良い。また、第１のヒンジ部２４を設ける位置はカバー１３の上端部と下端部に限定されるものではなく、カバー１３の上端部と下端部の間の位置に設けるようにしても良い。また、第２のヒンジ部３１も縦方向に沿って１つ設けることに限定されるのもではなく、複数に分割して設けるようにしても良い。また、たとえば、第１のヒンジ部２４を上下方向の中央側に設け、第２のヒンジ部３１をカバー１３の上下の端部に設けるようにしても良い。
【００５５】
また、上述の実施の形態では、１００度の回動角でリブ部２７と全面で接触して第２のヒンジ部３１はカバー１３の回動支点となり始め、１１０度の回動角でカバー１３の開方向への回動が規制されるような構成とされているが、上記以外の回動角において回動支点を第２のヒンジ部３１に移行させるようにし、カバー１３の開方向への回動が規制されるような構成としても良い。たとえば、回動支点を第２のヒンジ部３１に移行させる回動角Ｘとしては、６０〜１５０度の範囲のいずれかとし、カバー１３の開方向への回動が規制される回動角Ｙは、回動角Ｘよりも０を除く所定以上大きな角度とすることが可能である。また、第２のヒンジ部３１がリブ部２７に接触し始める回動角、および凹状部３０の対向部位であって第２のヒンジ部３１の形状に倣う部分の大部分が第２のヒンジ部３１と接触する回動角を他の回動角としても良い。
【００５６】
また、上述の実施の形態では、突出部３２を設けているが、突出部３２を設けない構成としても良い。また、逃げ部３８Ａ，３８Ｂを形成しないような構成としても良い。
【００５７】
また、上述の実施の形態では、カバー１３は接続口１５が設けられるインターフェース部１４の外側を覆う用途で用いられているが、ＵＳＢメモリスティックやケーブル等の他の接続口や他の部位を覆う用途で用いるようにしても良い。
【００５８】
また、上述の実施の形態では、第２のヒンジ部３１がリブ部２７に対して接触する構成とされているが、このような構成に限定されず、たとえば、第２のヒンジ部３１が他の部材を介してリブ部２７に接触する構成としても良い。
【符号の説明】
【００５９】
１０…記録装置、１１…本体、１３…カバー、１４…インターフェース部、１５…接続口、１６…メモリーカード（記憶媒体に対応）、２２…外装部、２４…第１のヒンジ部、３１…第２のヒンジ部、３２…突出部、３４…外側部、３５…内側部、４０…側面部、５０…係合部、５１…凹部、５２…凸部
【図１】
2014017298.tif 000003
【図２】
2014017298.tif 000004
【図３】
2014017298.tif 000005
【図４】
2014017298.tif 000006
【図５】
2014017298.tif 000007
【図６】
2014017298.tif 000008
【図７】
2014017298.tif 000009
【図８】
2014017298.tif 000010
【図９】
2014017298.tif 000011